(57)【特許請求の範囲】
【請求項１】
内側の空気を外側に送出する送出空気流を生じさせる換気用ファンと、該換気用ファンの外周辺に設けた外側の空気を内側に送入する送入空気流を生じさせる吸気用ファンと、前記外周辺の円周に沿って複数配置され円周方向に傾斜した前記送入空気流の送入用口と、を備えることを特徴とする換気扇。
【請求項２】
前記換気用ファンと前記吸気用ファンとの間の近傍に送出空気流と送入空気流を仕切る仕切とを備えたことを特徴とする請求項１に記載の換気扇。
【発明の詳細な説明】
【０００１】
【産業上の利用分野】
本発明は換気扇に関するものであって、更に、詳細には、吸気用ファンを設けたことにより簡単に清掃ができる換気扇に関するものである。
【０００２】
【従来技術】
従来、これ等の換気扇はキッチンや風呂、トイレ等に取り付けられて室内の汚れた空気を集めて強制的に屋外に排出するものであった。
【０００３】
【解決しようとする課題】
その為、油煙等の汚れが換気扇に付着するためにフィルターを張設したり、液化した油煙を受けるドレン受部等を設けているが、換気扇のファンの外周域にも汚れが付着して、ファンやその周辺のフード等の清掃が手間暇かかる作業と成っていた。
【０００４】
【課題を解決する手段】
本発明は前述の課題に鑑みて、鋭意研鑚の結果、内側の空気を外側に送出する送出空気流を生じさせる換気用ファンと、換気用ファンの外周辺に設けた外側の空気を内側に送入する送入空気流を生じさせる吸気用ファンとを備えたものであり、更に、吸気用ファンと換気用ファンとの間の近傍に送出空気流と送入空気流を仕切る仕切とを備えたものである。
【０００５】
従って、本発明の目的は、清掃を簡単に行う換気扇を提供するものである。
【０００６】
【作用】
本発明は、中央辺の換気用ファンと外周辺の吸気用ファンとを同時に回転させることにより、換気用ファンで室内の汚れた空気を強制的に外に換気すると共に、吸気用ファンで換気用ファンの外側に屋外の綺麗な空気を吸気させるもので周辺が汚れること無く換気用ファンのみを清掃することで簡単に清掃ができるものである。
【０００７】
【実施例】
以下、本発明の換気扇の実施例の図面によって具体的に説明する。
【０００８】
図１は本発明の換気扇の実施例を説明するための斜視図であり、図２は本発明の換気扇の次実施例を説明するための斜視図であり、図３は本発明の換気扇の実施例を説明するための断面とした説明図であり、図４は本発明の換気扇の他の実施例を説明するための正面図であり、図５は本発明の換気扇の更に他の実施例を説明するための断面とした説明図であり、図６は本発明の換気扇の更に他の実施例を説明するための断面とした説明図である。
【０００９】
本発明は換気扇に関するものであって、更に、詳細には、吸気用ファン１を設けたことにより簡単に清掃ができる換気扇に関するものであり、請求項１に記載の本発明は換気扇は、内側の空気を外側に送出する送出空気流Ａを生じさせる換気用ファン１と、該換気用ファン１の外周辺に設けた外側の空気を内側に送入する送入空気流Ｂを生じさせる吸気用ファン２とを備えたものである。
【００１０】
更に、本発明の請求項２に記載の換気扇は、請求項１に記載の換気扇において、前記換気用ファン１と前記吸気用ファン２との間の近傍に送出空気流Ａと送入空気流Ｂを仕切る仕切３とを備えたものである。
【００１１】
即ち、本発明の換気扇の実施例は、図１に図示する如く、中央に回転の駆動源と成るモータＭを設け、該モータＭを駆動させることにより、モータＭと接続させた回転板より放射状に突出させた複数の換気用ファン１を回転させるものである。
【００１２】
前記夫々の換気用ファン１は一定方向に傾斜させおり回転することによって、内側の空気を外側に送出する送出空気流Ａを生じさせるものである。
【００１３】
そして、本発明の換気扇の実施例では、夫々の換気用ファン１の先端に逆方向に傾斜する吸気用ファン２を設け回転させることで、外側の空気を内側に送入させる送入空気流Ｂを生じさせるものである。
【００１４】
つまり、モータＭを駆動させることにより換気用ファン１とその先端に設けた吸気用ファン２は回転するものであり、換気用ファン１は内側の空気を外側に送出する送出空気流Ａを生じさせると共に、吸気用ファン２は外側の空気を内側に送入する送入空気流Ｂを生じさせるものであり、中央辺を内側から外側に送出する送出空気流Ａの外周辺を外側から内側に送入する送入空気流Ｂが流れるものである。
【００１５】
そして、換気用ファン１と吸気用ファン２との間の近傍には、送出空気流Ａと送入空気流Ｂとを仕切る仕切３を設けたものであり、送出空気流Ａと送入空気流Ｂとは仕切３を介して対流するものである。
【００１６】
本発明の換気扇は、内側より外側に送出する汚れた送出空気流Ａは仕切３に囲まれた中のみを通過するために、仕切３の内側及び換気用ファン１を清掃するのみで良く、換気扇の外周域は外側から内側に送入する綺麗な送入空気流Ｂにより遮断されていることにより汚れが付着することは皆無のものである。
【００１７】
更に、本発明の換気扇の次実施例は、図２に図示する如く、仕切３をフィルター３ａとしたものであり、該フィルター３ａを使い捨てとすることによって仕切３の清掃も不要とするものであり、加えて、送入空気流Ｂの送入口２ａを設け、該送入口２ａに傾斜を設けることによって、送入空気流Ｂの影響により送出空気流Ａは渦巻流と成り、より一層、汚れの付着が少なく成るものである。
【００１８】
更には、本発明の換気扇の図３に図示する実施例では、換気用ファン１の内側にフィルター１ａを張設したもので、送出空気流Ａの汚れは殆ど前記フィルター１ａに付着するものであり、フィルター１ａを破棄することにより清掃を省くものである。
【００１９】
次に、本発明の換気扇の図４に図示する他の実施例では、換気用ファン１と吸気用ファン２との間に仕切３を一体的に設けたものであり、図示していないが、換気用ファン１と吸気用ファン２と仕切３とを夫々別々に備えることも可能なものである。
【００２０】
次いで、本発明の換気扇の図５に図示する更に他の実施例では、壁掛け型以外のレンジフード等の換気扇として用いるものであって、送出空気流Ａと送入空気流Ｂとを分離する二重管としたものである。
【００２１】
更には、図６に図示する更にその他の実施例では、換気用ファン１と吸気用ファン２とを別々の駆動源を用いて別々に配設したもので、中央辺に送出空気流Ａが生じ、その外周辺に送入空気流Ｂが生じるものである。
【００２２】
【発明の効果】
本発明の換気扇は前述の構成により、換気用ファンと仕切の中側のみに汚れが付着するため、清掃が簡単にできるものであり、更に、換気用ファンの内側にフィルターを張設、及び、仕切をフィルターとすることにより、夫々のフィルターを取外して清掃又は破棄することにより更に簡単に清掃ができるものであり、極めて実用性の高い発明である。
【図面の簡単な説明】
【図１】図１は本発明の換気扇の実施例を説明するための斜視図である。
【図２】図２は本発明の換気扇の次実施例を説明するための斜視図である。
【図３】図３は本発明の換気扇の実施例を説明するための断面とした説明図である。
【図４】図４は本発明の換気扇の他の実施例を説明するための正面図である。
【図５】図５は本発明の換気扇の更に他の実施例を説明するための断面とした説明図である。
【図６】図６は本発明の換気扇の更に他の実施例を説明するための断面とした説明図である。
【符号の説明】
Ａ      送出空気流
Ｂ      送入空気流
１      換気用ファン
１ａ    フィルター
２      吸気用ファン
２ａ    吸気用口
３      仕切
３ａ    フィルター
【図１】
0004545845.tif 000002
【図２】
0004545845.tif 000003
【図３】
0004545845.tif 000004
【図４】
0004545845.tif 000005
【図５】
0004545845.tif 000006
【図６】
0004545845.tif 000007